(57)【要約】      （修正有）【課題】上半身用の着衣と、その下部を覆う下半身用着衣の位置ずれやはみ出しを防止でき、インナーベルト等が不要で外観体裁も維持できる衣類の位置ずれ防止構造を提供する。【解決手段】ベルト１を使用する位置ずれ防止構造であって、ベルト内面における着用者の両側腰部のワイシャツとの接触領域に、ズボンに圧接する突起として機能する四角柱状小片６を有する２個の位置ずれ防止具４を配置して、ズボンの位置ずれ、ワイシャツのはみ出しを防止する。位置ずれ防止具は、ベルトの内面に熱溶着層５ａ又は面ファスナーにより取り付ける。【選択図】図１
0003192432.tif 000002
【実用新案登録請求の範囲】
【請求項１】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記ベルトと、このベルト内側における下半身用着衣との接触領域のベルト内側に、当該下半身用着衣に圧接する突起を有する位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項２】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記ベルトにおける着用者の両側腰部に相当する位置であって、ベルトと、このベルト内側における下半身用着衣との接触領域のベルト内側に、当該下半身用着衣に圧接する突起を有する２個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項３】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記ベルトにおける着用者の両側腰部に相当する位置、及び前記ベルトのバックル近傍位置であって、ベルトと、このベルト内側における下半身用着衣との接触領域のベルト内側に、当該下半身用着衣に圧接する突起を有する３個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項４】
前記突起を有する位置ずれ防止具は、前記ベルトの内面に熱溶着又は面ファスナーにより取り付けられることを特徴とする請求項１乃至３のいずれか１項に記載の着衣の位置ずれ防止構造。
【請求項５】
前記上半身用着衣は、シャツ類の他、ワイシャツ類、ブラウス類であり、前記下半身用着衣は、ズボン類の他、スカート類であることを特徴とする請求項１乃至４のいずれか１項に記載の着衣の位置ずれ防止構造。
【請求項６】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記下半身用着衣と、この下半身用着衣の内側における前記上半身用着衣の胴部回り相当位置との接触領域の下半身用着衣の内側に、当該上半身用着衣に圧接する突起を有する位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項７】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記下半身用着衣における着用者の両側腰部に相当する位置であって、下半身用着衣と、この下半身用着衣の内側における上半身用着衣との接触領域の下半身用着衣の内側に、当該上半身用着衣に圧接する突起を有する２個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項８】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記下半身用着衣における着用者の両側腰部に相当する位置及び腹部相当位置であって、下半身用着衣と、この下半身用着衣の内側における上半身用着衣との接触領域の下半身用着衣の内側に、当該上半身用着衣に圧接する突起を有する３個又は４個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを特徴とする着衣の位置ずれ防止構造。
【請求項９】
前記突起を有する位置ずれ防止具は、前記下半身用着衣の内面に熱溶着又は面ファスナーにより取り付けられることを特徴とする請求項６乃至８のいずれか１項に記載の着衣の位置ずれ防止構造。
【請求項１０】
前記上半身用着衣は、シャツ類の他、ワイシャツ類、ブラウス類であり、前記下半身用着衣は、ズボン類の他、スカート類であることを特徴とする請求項６乃至９のいずれか１項に記載の着衣の位置ずれ防止構造。
【請求項１１】
着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、
前記ベルトのバックル裏面に、ベルト本体２のズレ防止となる複数の小突起を設けてなることを特徴とする着衣の位置ずれ防止構造。
【考案の詳細な説明】
【技術分野】
【０００１】
本考案は、着衣の位置ずれ防止構造に関し、特に、着用された状態の上半身用着衣（各種のシャツ類等）と下半身用着衣（ズボン類、スカート類等）との関係における下半身用着衣の位置ずれを防止するとともに、下半身用着衣から上半身用着衣のはみ出しを防止用として好適な着衣の位置ずれ防止構造に関するものである。
【背景技術】
【０００２】
例えば、上半身にワイシャツ等を着用し、下半身にズボンを着用するような衣服形態の場合、ズボンによりワイシャツの下部（裾部等）を覆うようにしてズボン内部に納め、更にズボンにベルトを取り付け、腰回りを体裁よくまとめることが一般的である。
【０００３】
このような衣服形態の場合、着用者の日常の種々の活動に伴って、ズボンが位置ずれしたり、ズボン内に収めたワイシャツの裾部等がズボンから外にはみ出したりという不体裁な事態が多々生じる。
【０００４】
すなわち、単にズボンにベルトを取り付けただけでは、ズボンの位置ずれや、ワイシャツのはみ出しを防止することは難しい。
【０００５】
このような事情は、ブラウス等とベルト付きのスカートを着用する女性の衣服形態の場についても同様である。
【０００６】
特許文献１には、ズボン及び前記ズボンの中に収めたシャツ類などの着衣のずれ防止機能を備えたインナーベルトであって、腰部付近に巻いて装着するベルト部と、前記ベルト部を身体に装着した状態で繋ぎ止める接合部と、前記ズボン側の一般ベルトの下縁に対して上縁が対向するように前記ベルト部の表面側に複数個設けた突起構造物を備え、前記突起構造物が、前記突起構造物を覆い、かつ、前記ズボンの中に収めた前記シャツ類を挟み込むことにより、前記ズボン及び前記シャツ類などの着衣のずれ防止機能を備えたインナーベルトが提案されている。
【０００７】
しかし、特許文献１のインナーベルトの場合、ズボンに取り付ける本来のベルトとは別体の構造であり、身体の腰部付近に本来のベルトの他にインナーベルトを巻く二重構造となって、装着時に煩雑性を伴うとともに、腰部付近が膨らんでしまうという抵抗感も生じる惧れがある。
【先行技術文献】
【特許文献】
【０００８】
【特許文献１】登録実用新案第３１７１１３２号公報
【考案の概要】
【考案が解決しようとする課題】
【０００９】
本考案が解決しようとする問題点は、通常のベルトを利用して、着用された状態の上半身用着衣と下半身用着衣との関係における下半身用着衣の位置ずれを防止するとともに、下半身用着衣から上半身用着衣のはみ出しを防止でき、また、インナーベルト等が不要で外観体裁も維持できるような衣類の位置ずれ防止構造が存在しない点である。
【課題を解決するための手段】
【００１０】
本考案は、着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、前記ベルトと、このベルト内側における下半身用着衣との接触領域のベルト内側に、当該下半身用着衣に圧接する突起を有する位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにしたことを最も主要な特徴とする。
【考案の効果】
【００１１】
請求項１記載の考案によれば、着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、前記ベルトと、このベルト内側における下半身用着衣との接触領域のベルト内側に、当該下半身用着衣に圧接する突起を有する位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１２】
請求項２記載の考案によれば、着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、前記ベルトにおける着用者の両側腰部に相当する位置であって、ベルトと、このベルト内側における下半身用着衣との接触領域のベルト内側に、当該下半身用着衣に圧接する突起を有する２個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１３】
請求項３記載の考案によれば、前記請求項２記載の考案の効果を奏することに加え、前記ベルトにおける着用者の両側腰部に相当する位置及び前記ベルトのバックル近傍位置であって、ベルトと、このベルト内側における下半身用着衣との接触領域のベルト内側に、当該下半身用着衣に圧接する突起を有する３個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１４】
請求項４記載の考案によれば、前記請求項１乃至３のいずれか１項に記載の考案において、突起を有する位置ずれ防止具を、ベルトの内面に熱溶着又は面ファスナーにより取り付ける構成としているので、請求項１乃至３のいずれか１項に記載の考案の効果を奏することに加えて、位置ずれ防止具のベルトの内面に対する取り付けの簡略化と取り付け個数の増減への対応容易化をも図れる衣類の位置ずれ防止構造を実現し提供することができる。
【００１５】
請求項５記載の考案によれば、前記請求項１乃至４のいずれか１項に記載の考案において、上半身用着衣は、シャツ類の他、ワイシャツ類、ブラウス類であり、前記下半身用着衣は、ズボン類の他、スカート類としているので、請求項１乃至４のいずれか１項に記載の考案の効果を奏することに加えて、男女を問わず広範な分野の着用者用として実用性の高い衣類の位置ずれ防止構造を実現し提供することができる。
【００１６】
請求項６記載の考案によれば、着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、前記下半身用着衣と、この下半身用着衣の内側における前記上半身用着衣の胴部回り相当位置との接触領域の下半身用着衣の内側に、当該上半身用着衣に圧接する突起を有する位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１７】
請求項７記載の考案によれば、着用者の上半身から胴部の下側に至る範囲までのものとして着用するシャツ類である上半身用着衣と、この上半身用着衣の下部を覆うようにして着用するズボン類である下半身用着衣との関係において、下半身用着衣のベルトを用いて上半身用着衣を定位置に配置するようにした着衣の位置ずれ防止構造であって、前記下半身用着衣における着用者の両側腰部に相当する位置であって、下半身用着衣と、この下半身用着衣の内側における上半身用着衣との接触領域の下半身用着衣の内側に、当該上半身用着衣に圧接する突起を有する２個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１８】
請求項８記載の考案によれば、前記請求項７記載の考案の効果を奏することに加え、前記下半身用着衣における着用者の両側腰部に相当する位置及び腹部相当位置であって、下半身用着衣と、この下半身用着衣の内側における上半身用着衣との接触領域の下半身用着衣の内側に、当該上半身用着衣に圧接する突起を有する３個又は４個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【００１９】
請求項９記載の考案によれば、前記請求項６乃至８のいずれか１項に記載の考案において、突起を有する位置ずれ防止具を、下半身用着衣の内面に熱溶着又は面ファスナーにより取り付ける構成としているので、前記請求項６乃至８のいずれか１項に記載の考案の効果を奏することに加えて、位置ずれ防止具の下半身用着衣の内面に対する取り付けの簡略化と取り付け個数の増減への対応容易化をも図れる衣類の位置ずれ防止構造を実現し提供することができる。
【００２０】
請求項１０記載の考案によれば、前記請求項６乃至９のいずれか１項に記載の考案において、上半身用着衣は、シャツ類の他、ワイシャツ類、ブラウス類であり、前記下半身用着衣は、ズボン類の他、スカート類としているので、前記求項６乃至９のいずれか１項に記載の考案の効果を奏することに加えて、男女を問わず広範な分野の着用者用として実用性の高い衣類の位置ずれ防止構造を実現し提供することができる。
請求項１１記載の考案によれば、前記ベルトのバックル裏面に、ベルト本体２のズレ防止となる複数の小突起を設けてなる位置ずれ防止具を配置し、当該位置ずれ防止具をもって、ベルト本体のズレ防止、着用された状態の上半身用着衣と下半身用着衣との関係における下半身用着衣の位置ずれを防止するとともに、下半身用着衣から上半身用着衣のはみ出しをインナーベルト等を用いることなく、かつ、外観体裁を維持しつつ効果的に防止することができる衣類の位置ずれ防止構造を実現し提供することができる。
【図面の簡単な説明】
【００２１】
【図１】図１は本考案の実施例１に係る着衣の位置ずれ防止構造におけるベルトの内面側から見た状態の正面図である
【図２】図２は本実施例１に係る着衣の位置ずれ防止構造におけるベルトを使用形態とした状態の平面図である。
【図３】図３は本実施例１に係る着衣の位置ずれ防止構造における位置ずれ防止具の概略斜視図である。
【図４】図４は本実施例１に係る着衣の位置ずれ防止構造によるズボン、ワイシャツの位置ずれ又ははみ出し防止態様を示す概略説明図である。
【図５】図５は本実施例１の変形例に係る着衣の位置ずれ防止構造におけるベルトの内面側から見た状態の正面図である
【図６】図６は本実施例１の変形例に係る着衣の位置ずれ防止構造における位置ずれ防止具の概略斜視図である。
【図７】図７は本考案の実施例２に係る着衣の位置ずれ防止構造におけるズボンの概略斜視図である。
【図８】図８は本実施例２の他例に係る着衣の位置ずれ防止構造におけるズボンの概略斜視図である。
【考案を実施するための形態】
【００２２】
本考案は、通常のベルトを利用して、着用者の上半身から胴部の下側に至る範囲まで着用する上半身用着衣や、その下部を覆うようにして下半身に着用する着衣の位置ずれやはみ出しを防止でき、また、インナーベルト等が不要で外観体裁も維持できる衣類の位置ずれ防止構造を実現、提供するという目的を、前記ベルトにおける着用者の両側腰部に相当する位置であって、ベルトと、このベルト内側における下半身用着衣との接触領域のベルト内側に、当該下半身用着衣に圧接する突起を有する２個の位置ずれ防止具を配置し、当該位置ずれ防止具をもって、着用された状態の上半身用着衣と下半身用着衣との関係における下半身用着衣の位置ずれを防止するとともに、下半身用着衣から上半身用着衣のはみ出しを防止するようにした構成により実現した。
【実施例】
【００２３】
以下、本考案の実施例に係る着衣の位置ずれ防止構造について図面を参照して詳細に説明する。
【００２４】
（実施例１）
図１乃至図７を参照して本実施例１に係る着衣の位置ずれ防止構造について説明する。
【００２５】
本実施例１に係る着衣の位置ずれ防止構造は、上半身用着衣、すなわち、上半身用の着衣として例えばワイシャツ２１を、下半身用着衣、すなわち、下半身用の着衣として例えばズボン２２を適用例とし、かつ、ズボン２２にベルト１を取り付ける構造を例としたものである。
【００２６】
前記ベルト１は、例えば皮革製又は人造皮革製からなる帯状のベルト本体２と、ベルト本体２の一端に取り付けたバックル３とからなる公知構造からなるものである。本考案におけるバックル３は、図示するものに限らず、その種類、形態の如何を問うものではなく、如何なる種類、形態のバックルでも実施できる。
なお、前記ベルト本体２の一端に取り付けたバックル３の裏面（内側の面）には、ベルト本体２のズレ防止となる複数或いは多数の小突起４０を設けて実施しても良い。当該小突起４０の材質を問うものではないが、例えば金属材や樹脂材で形成した小突起４０とすることができる。
この場合、ベルト本体２のズレ防止となる前記複数の小突起４０は、ベルト本体２の一端に取り付けたバックル３の裏面（内側の面）に直接設けるようにしても良いが、この他、バックル３専用のものとして、バックル形状に合致した着脱自在な剥離片の一方の面に、当該複数の小突起４０を設けて構成し、小突起４０を設けた当該剥離片をバックル３の裏面から着脱自在な構成とすることもできる。
【００２７】
本実施例１に係る着衣の位置ずれ防止構造は、図１、図２に示すように、前記ベルト１のベルト本体２における着用者の両側腰部相当位置の内面であって、着用者がワイシャツ２１の下部を覆うようにして着用するズボン２２との接触領域に、当該ズボン２２の外面に圧接する２個の位置ずれ防止具４を配置した構成としている。
【００２８】
なお、着用するズボン２２の着用者の両側腰部相当位置の各内面に、本実施例１に係る着衣の位置ずれ防止構造におけると同様の位置ずれ防止具を配置することもできる。このような構成とした場合、本実施例１に係る着衣の位置ずれ防止構造における位置ずれ防止具４と、ズボンの着用者の両側腰部相当位置の各内面に配置した位置ずれ防止具とをもって、２重の位置ずれ防止構造とできる。ズボンの着用者の両側腰部相当位置の各内面に配置する位置ずれ防止具は、当該ズボンの洗濯の際における利便性を考慮して着脱自在な構成とすることが好都合である。
【００２９】
前記位置ずれ防止具４は、図３に拡大して示すように、ベルト本体２の内面に熱溶着等で裏面側を固着する四角形状で、薄片状に形成した布材、皮材又は合成樹脂材等からなる基体５と、この基体５の表面に例えば接着等によりベルト本体２の長さ方向と直交する配置で、間隔を隔てて貼り着けた例えばウレタン材等からなる３個の突起として機能する四角柱状小片６と、を具備している。
【００３０】
前記四角柱状小片６の基体５からの突出長は、例えば５ｍｍ、８ｍｍ等の例を挙げることができるが、特に限定するものではない。
【００３１】
また、前記四角柱状小片６の他に、半円柱状、半楕円柱状等の形状を採用することも勿論可能である。
【００３２】
前記基体５は、例えば裏面側に熱可塑性樹脂材等からなる熱溶着層５ａを有し、この熱溶着層５ａをベルト本体２の内面に接合した状態で、基体５の表面側から例えば家庭用のアイロンを加熱した状態としてアイロン掛けすることによって熱溶着層５ａを溶着させて、これにより、前記基体５の裏面側をベルト本体２の内面に固着するように構成している。
【００３３】
次に、上述した本実施例１に係る着衣の位置ずれ防止構造によるズボン２２、ワイシャツ２１の位置ずれ又ははみ出し防止態様について図４を参照して説明する。
【００３４】
着用者は、上半身にワイシャツ２１を着用し、その下部を腰下まで垂らす。そして、下半身には前記ワイシャツ２１の下部を覆うようにしてズボン２２を腰部３１（図４では片側の腰部３１のみ示す）の位置まで着用し、前記ベルト１をズボンの所定の位置に取り付けて腰部３１の周りで締め付ける。
【００３５】
このとき、図４に示すように、前記ベルト本体２の内面に固着した前記位置ずれ防止具４の四角柱状小片６が前記ズボン２２の対応領域の外面に圧接し、このズボン２２の領域、さらは、前記ワイシャツ２１の対応領域を着用者の腰部３１側に押し付ける。
【００３６】
この結果、前記位置ずれ防止具４の四角柱状小片６による圧接力によって前記ズボン２２の位置ずれが拘束されて所定の位置からの位置ずれが防止されると同時に、このとき、四角柱状小片６の圧接力が作用しているズボン２２、ワイシャツ２１における対応領域間の摩擦力が高まり、ワイシャツ２１の位置ずれも防止されてこのワイシャツ２１の下部がズボン２２の外側にはみ出るような不体裁な事態が生じることが無くなる。
【００３７】
また、インナーベルト等を使用する必要がなく腰部付近を膨らませることもなくなる。
【００３８】
このような作用、効果は、２個の位置ずれ防止具４により各々発揮される。
【００３９】
次に、図５、図６を参照して本実施例１に係る着衣の位置ずれ防止構造の変形例について説明する。
【００４０】
変形例の着衣の位置ずれ防止構造において、上述した実施例１の場合と同一の要素には同一の符号を付し、その詳細な説明は省略する
【００４１】
図５、図６に示す変形例の着衣の位置ずれ防止構造は、基本的構成は実施例１の場合と略同様であるが、実施例１の構成に加えて、前記ベルト本体２における前記バックル３の近傍位置に、面ファスナ形態の位置ずれ防止具４Ａを付加したことが特徴である。
【００４２】
前記位置ずれ防止具４Ａは、図６に示すように、表面形態をフック状部１１ａとし、裏面側をベルト本体２の内面に接着等により固着する第１面ファスナー片１１と、前記第１面ファスナー片１１と対面配置となる裏面形態をループ状部１２ａとし、表面側に例えば突起として機能するビーズ状の小球１３（例えば直径３ｍｍ、５ｍｍ等）を複数個接着等で分散配置に取り付けた第２面ファスナー片１２と、を具備している。
【００４３】
そして、前記第１面ファスナー片１１の裏面側を前記ベルト本体２の前記バックル３の近傍位置の内面に接着により固着するとともに、第２面ファスナー片１２のループ状部１２ａを前記フック状部１１ａに押し付け噛み合わせることで、第１面ファスナー片１１と第２面ファスナー片１２とを一体化して、前記小球１３を着用者の腹部側に突出させるように構成している。
【００４４】
前記小球１３に替えて、小寸法の円柱体、角柱体を突起として採用することも可能である。
【００４５】
変形例の着衣の位置ずれ防止構造によれば、実施例１の場合と同様な作用、効果を発揮することに加え、面ファスナ形態の位置ずれ防止具４Ａを前記バックル３の近傍位置に付加したことによって、前記小球１３による圧接力により、着用者の腹部領域におけるズボン２２の位置ずれ防止、ワイシャツ２１の下部のズボン２２の外側へのはみ出し防止をも図ることができる。
【００４６】
以上説明した実施例１、変形例の各位置ずれ防止構造は、上半身用着衣であるワイシャツ類、下半身用着衣であるベルト１を使用するズボン類について適用できるほか、女性が着用する上半身用着衣であるブラウス類、下半身用着衣であるベルト１を使用するスカート類等に関しても広範に適用可能である。
【００４７】
また、以上説明した実施例１、変形例の各位置ずれ防止構造において、前記位置ずれ防止具４や位置ずれ防止具４Ａのベルト本体２の取り付け個数は特に限定されるものでなく、ベルト１のサイズ、着用者の嗜好、又は着用者の体格等に対応して、更に４個、５個等更に多数個配置する等の応用も可能であり、この場合、これらの取り付け位置や、前記位置ずれ防止具４、位置ずれ防止具４Ａのいずれを用いるか等についても特に限定するものではない。
【００４８】
（実施例２）
次に、図７、図８を参照して本考案の実施例２に係る着衣の位置ずれ防止構造について説明する。
【００４９】
本実施例２に係る着衣の位置ずれ防止構造は、実施例１の場合のようなベルト１ではなく、ズボン２２Ａの腰周りの部分の内面に、前記位置ずれ防止具４又は位置ずれ防止具４Ａを配置する構成としたことが特徴である。
【００５０】
図７は、ズボン２２Ａにおける着用者の両側の腰部相当位置に２個の前記位置ずれ防止具４を既述した場合と同様にして配置した例を、図８はズボン２２Ａにおける両側の腰部相当位置の内面に２個の前記位置ずれ防止具４を配置するととともに、腹部相当位置の内面に既述した場合と同様にして前記位置ずれ防止具４Ａを配置した他例を示している。
【００５１】
このような実施例２及びその他例に係る着衣の位置ずれ防止構造の作用、効果について以下に説明する。
【００５２】
着用者は、上半身にワイシャツ２１を着用し、その下部を腰下まで垂らす。そして、下半身には前記ワイシャツ２１の下部を覆うようにして実施例２に係るズボン２２Ａを、図７又は図８には示さないが腰部３１の位置まで着用し、図７又は図８には示さないがベルト１をズボンの所定の位置に取り付けて腰部３１の周りで締め付ける。
【００５３】
これにより、図７に示す例では、前記ベルト本体２からズボン２２Ａを介してズボン２２Ａの内面に配置した位置ずれ防止具４の四角柱状小片６が、ワイシャツ２１における対応領域に圧接する。
【００５４】
この結果、特に腰部３１の領域のワイシャツ２１の位置ずれが防止されてこのワイシャツ２１の下部がズボン２２の外側にはみ出るような不体裁な事態が生じることが無くなる。
【００５５】
このような作用、効果は、２個の位置ずれ防止具４により各々発揮される。
【００５６】
また、図８に示す他例では、上記効果に加えて、前記ベルト本体２からズボン２２Ａを介してズボン２２Ａの内面に配置した位置ずれ防止具４Ａの小球１３が腹部領域のワイシャツ２１に圧接し、この領域におけるワイシャツ２１の下部がズボン２２Ａの外側へはみ出すことを防止することできる。
【００５７】
以上説明した実施例２、及び、その他例の各位置ずれ防止構造は、上半身用着衣であるワイシャツ類、下半身用着衣であるベルト１を使用するズボン類について適用できるほか、女性が着用する上半身用着衣であるブラウス類、下半身用着衣であるベルト１を使用するスカート類等に関しても広範に適用可能である。
【００５８】
また、以上説明した実施例２、及び、その他例の各位置ずれ防止構造において、前記位置ずれ防止具４や位置ずれ防止具４Ａのズボン２２Ａへの取り付け個数は特に限定されるものでなく、ズボン２２Ａのサイズ、着用者の嗜好、又は着用者の体格等に対応して、更に４個、５個等配置する等の応用も可能であり、この場合、これらの取り付け位置や、前記位置ずれ防止具４、位置ずれ防止具４Ａのいずれを用いるか等についても特に限定するものではない。
更に、以上説明した各実施例における位置ずれ防止具４、位置ずれ防止具４Ａ、四角柱状小片６等の材質を、磁気材等の混入した材質をもって形成した場合、衣類の位置ずれ防止とともに、磁気作用をもって血行を良好にすることが可能である。
【産業上の利用可能性】
【００５９】
本考案に係る衣類の位置ずれ防止構造は、上述した場合の他、作業用シャツ類と作業ズボン、ポロシャツとベルトを使用するズボン等、上半身用衣類とベルトを使用する下半身用衣類との組み合わせに関しての位置ずれ防止構造として広範に適用可能である。
【符号の説明】
【００６０】
１    ベルト
２    ベルト本体
３    バックル
４    位置ずれ防止具
４Ａ  位置ずれ防止具
５    基体
５ａ  熱溶着層
６    四角柱状小片
１１    第１面ファスナー片
１１ａ  フック状部
１２    第２面ファスナー片
１２ａ  ループ状部
１３    小球
２１    ワイシャツ（上半身用着衣）
２２    ズボン（下半身用着衣）
２２Ａ  ズボン（下半身用着衣）
３１    腰部
４０    小突起
【図１】
0003192432.tif 000003
【図２】
0003192432.tif 000004
【図３】
0003192432.tif 000005
【図４】
0003192432.tif 000006
【図５】
0003192432.tif 000007
【図６】
0003192432.tif 000008
【図７】
0003192432.tif 000009
【図８】
0003192432.tif 000010